(57)【要約】【課題】構成の簡素化、低コスト化を図りつつ使い勝手を高める上で有利な撮像装置用防水ケースを提供すること。【解決手段】撮像装置用防水ケース３０は、撮像装置１０が収容される収容空間３２を有するケース本体３４を備えている。ケース本体３４は透明な合成樹脂製で、第１ケース分割体３４Ａと第２ケース分割体３４Ｂとで構成されている。第１ケース分割体３４Ａの底壁３４０２に、底壁３４０２を貫通する前後に縦長の矩形状の開口５２が設けられている。ガラス板３６よりも熱伝導率が大きい金属材料からなる金属板５０は、第１ケース分割体３４Ａの外面に、開口５２を液密に閉塞するようにＯリング５４、ねじ５６を介して設けられている。【選択図】      図９
2007101850.tif 000002
【特許請求の範囲】
【請求項１】
合成樹脂製のケース本体の内部に、撮像装置を収容する収容空間が形成され、前記収容空間に収容された前記撮像装置の撮影光学系に臨む前記ケース本体の部分に透明なガラス板が組み込まれた撮像装置用防水ケースであって、
前記ケース本体の箇所に、前記ガラス板よりも熱伝導率が大きい金属材料からなる金属板が設けられ、
前記金属板の一方の面は前記収容空間に臨み、前記金属板の他方の面は前記ケース本体の外部に臨んでいる、
ことを特徴とする撮像装置用防水ケース。
【請求項２】
前記ケース本体を構成する壁部に該壁部を貫通する開口が設けられ、前記金属板は、前記ケース本体の外面に、前記開口を閉塞するように設けられていることを特徴とする請求項１記載の撮像装置用防水ケース。
【請求項３】
前記ケース本体を構成する壁部に該壁部を貫通する開口が設けられ、前記金属板は、前記ケース本体の外面に、前記開口を閉塞するように設けられ、前記開口を形成する前記ケース本体の壁面で前記金属板寄りの箇所に、前記開口の断面積を広げる凹部が設けられていることを特徴とする請求項１記載の撮像装置用防水ケース。
【請求項４】
前記凹部は前記開口の全周にわたって設けられていることを特徴とする請求項３記載の撮像装置用防水ケース。
【請求項５】
前記凹部に、水の吸収を可能とした水吸収部材が配設されていることを特徴とする請求項３記載の撮像装置用防水ケース。
【請求項６】
前記ケース本体は、前記収容空間の底部を仕切る底壁を有し、前記金属板は前記底壁の箇所に設けられていることを特徴とする請求項１記載の撮像装置用防水ケース。
【請求項７】
前記ケース本体は、前記収容空間の底部を仕切る底壁を有し、前記底壁に該底壁を貫通する開口が設けられ、前記金属板は、前記ケース本体の外面に、前記開口を閉塞するように設けられていることを特徴とする請求項１記載の撮像装置用防水ケース。
【請求項８】
前記ケース本体は、前記収容空間の底部を仕切る底壁を有し、前記底壁に該底壁を貫通する開口が設けられ、前記金属板は、前記ケース本体の外面に、前記開口を閉塞するように設けられ、前記開口を形成する前記ケース本体の壁面で前記金属板寄りの箇所に、前記開口の断面積を広げる凹部が設けられていることを特徴とする請求項１記載の撮像装置用防水ケース。
【請求項９】
前記凹部は前記開口の全周にわたって設けられていることを特徴とする請求項８記載の撮像装置用防水ケース。
【請求項１０】
前記凹部は前記開口の全周にわたって設けられ、前記凹部に、水の吸収を可能とした水吸収部材が配設されていることを特徴とする請求項９記載の撮像装置用防水ケース。
【請求項１１】
前記ケース本体を構成する壁部に該壁部を貫通する開口が設けられ、前記金属板は、前記ケース本体の外面に、前記開口を閉塞するように設けられ、前記開口内に、水の吸収を可能とした水吸収部材が配設されていることを特徴とする請求項１記載の撮像装置用防水ケース。
【請求項１２】
前記ケース本体を構成する壁部に該壁部を貫通する開口が設けられ、前記金属板は、前記ケース本体の外面に、前記開口を閉塞するように設けられ、前記開口を構成する前記ケース本体の壁面に、水滴が侵入した際に水の表面張力により水滴を保持する微細な溝が形成されていることを特徴とする請求項１記載の撮像装置用防水ケース。
【請求項１３】
前記ケース本体は、前記収容空間の底部を仕切る底壁を有し、前記底壁の前端から前壁が起立され、前記ガラス板は前記前壁に設けられ、前記底壁に左右に間隔をおき前後に延在する撮像装置取り付け用の壁部が設けられ、前記左右の撮像装置取り付け用の壁部の間の前記底壁の箇所に該底壁を貫通する開口が設けられ、前記金属板は、前記ケース本体の外面に、前記開口を閉塞するように設けられていることを特徴とする請求項１記載の撮像装置用防水ケース。
【請求項１４】
前記ケース本体は、互いに係脱可能に液密に結合される第１ケース分割体と第２ケース分割体とで構成され、前記収容空間は、互いに結合された前記第１ケース分割体と前記第２ケース分割体の内部に形成され、前記金属板は、前記第１ケース分割体と前記第２ケース分割体の少なくとも一方に設けられていることを特徴とする請求項１記載の撮像装置用防水ケース。
【請求項１５】
前記ケース本体は、互いに係脱可能に液密に結合される第１ケース分割体と第２ケース分割体とで構成され、前記第１ケース分割体は、前記収容空間の底部を仕切る底壁を有し、前記金属板は前記底壁の箇所に設けられていることを特徴とする請求項１記載の撮像装置用防水ケース。
【請求項１６】
前記ケース本体は、互いに係脱可能に液密に結合される第１ケース分割体と第２ケース分割体とで構成され、前記第１ケース分割体は、前記収容空間の底部を仕切る底壁を有し、前記底壁の前端から前壁が起立され、前記ガラス板は、前記前壁に形成された開口を塞ぐように設けられ、前記底壁に開口が設けられ、前記金属板は前記底壁の開口を塞ぐように設けられていることを特徴とする請求項１記載の撮像装置用防水ケース。
【発明の詳細な説明】
【技術分野】
【０００１】
本発明はデジタルカメラやビデオカメラなどのような撮像装置を収容する撮像装置用防水ケースに関する。
【背景技術】
【０００２】
撮像装置用防水ケースは合成樹脂製のケース本体を備え、ケース本体の内部に、撮像装置を収容する液密な収容空間が設けられている。
そして、撮像装置用防水ケースには、撮像装置を収容した状態で該撮像装置の撮影光学系に臨む箇所に透明なガラス板が組み込まれており、撮影光学系はそのガラス板を通して被写体像を捉えるように構成されている。
ところで、大気中において撮像装置を撮像装置用防水ケースに収容した後、水中に入れた場合、一般に、水温は大気の温度よりも低く、また、ガラス板の熱伝導率は合成樹脂よりも大きいため、ガラス板自体が合成樹脂の部分よりも水により効果的に冷却され、ガラス板の内面は、合成樹脂の部分の内面よりも、また、収容空間内の空気よりも低温となる。
そのため、ガラス板の内面に収容空間内の空気に含まれていた水分が結露し、ガラス板に曇りを生じさせ、撮影に支障を来たす場合がある。
または、暖かい室内で撮像装置を撮像装置用防水ケースに収容した後、寒いスキー場に持ち出した場合なども上述と同様にガラス板に曇りを生じ撮影に支障を来たす場合がある。
このようなガラス板の結露を防止するための従来技術として、例えば、２枚のガラス板を空気層を挟んで重ね合わせて撮影光学系に臨む箇所に設けることにより、空気層を断熱層として形成し、それによりガラス板の温度低下を防止してガラス板の結露を防ぐ技術が提案されている（特許文献１参照）。
また、他の従来技術として、撮像装置用防水ケースを、撮像装置のレンズ鏡筒部分を収容し撮影光学系に臨むガラス板が設けられたレンズ室と、撮像装置のレンズ鏡筒部分を除く本体部分を収容するボデー室とに仕切り、レンズ室に乾燥剤を入れることにより、レンズ室の湿度を下げることで、ガラス板の結露を防ぐ技術が提案されている（特許文献２参照）。
【特許文献１】特開２００３−１６１９９４号公報
【特許文献２】実開平４−１８２９２号公報
【発明の開示】
【発明が解決しようとする課題】
【０００３】
しかしながら、前者の従来技術では、２枚のガラス板を空気層を挟んで配置することから構造が複雑でスペースも必要となるため撮像装置用防水ケースの低コスト化、小型化を図る上で不利がある。また、後者の従来技術では、乾燥剤の交換が必要となるため、使い勝手がよいものとはいえなかった。
本発明は前記事情に鑑み案出されたものであって、本発明の目的は、構成の簡素化、低コスト化を図りつつ使い勝手を高める上で有利な撮像装置用防水ケースを提供することにある。
【課題を解決するための手段】
【０００４】
前記目的を達成するため本発明は、合成樹脂製のケース本体の内部に、撮像装置を収容する収容空間が形成され、前記収容空間に収容された前記撮像装置の撮影光学系に臨む前記ケース本体の部分に透明なガラス板が組み込まれた撮像装置用防水ケースであって、前記ケース本体の箇所に、前記ガラス板よりも熱伝導率が大きい金属材料からなる金属板が設けられ、前記金属板の一方の面は前記収容空間に臨み、前記金属板の他方の面は前記ケース本体の外部に臨んでいることを特徴とする。
【発明の効果】
【０００５】
本発明では、撮像装置用防水ケースの収容空間に撮像装置を収容した状態で、例えば、水中に入れると、水温は一般に大気の温度よりも低く、また、金属板の熱伝導率は合成樹脂およびガラス板よりも大きいため、金属板自体が合成樹脂の部分およびガラス板よりも水により効果的に冷却される。
そのため、金属板が収容空間に臨む面は、合成樹脂の部分の内面およびガラス板の内面に比べて最も低温な箇所となり、その結果、収容空間内の空気に含まれていた水分の大半が金属板の面に水滴として結露し、合成樹脂の部分の内面やガラス板の内面に結露することが抑制される。
【発明を実施するための最良の形態】
【０００６】
（第１の実施の形態）
次に本発明の実施の形態について説明する。
本実施の形態では、撮像装置用防水ケースに収容される撮像装置がビデオカメラである場合について説明する。
まず、撮像装置用防水ケースに収容すべき撮像装置から説明する。
図１は撮像装置１０を前方から見た斜視図、図２は撮像装置１０を後方から見た斜視図である。
図１、図２に示すように、撮像装置１０は、外装を構成するケース１２を有している。なお、本明細書において左右は、撮像装置１０を前方から見た状態でいうものとし、また、光学系の光軸方向で被写体側を前方といい、撮像素子側を後方という。
ケース１２は、左右方向の幅と、この幅よりも大きな寸法の上下方向の高さと、この高さよりも大きな寸法の前後方向の長さとを有している。
ケース１２は、前方および後方に臨む前面１２Ａおよび後面１２Ｂと、上方および下方に臨む上面１２Ｃおよび下面１２Ｄと、左方および右方に臨む左側面１２Ｅおよび右側面１２Ｆとを有している。
ケース１２の前面１２Ａ上部には、撮影光学系１４が組み込まれた鏡筒１６が前方に臨んで設けられ、鏡筒１６の前端には、撮影光学系１４の光軸上で最も前方に位置する対物レンズ１４０２が配置されている。
ケース１２の内部には、撮影光学系１４によって導かれた被写体像を撮像する撮像素子、該撮像素子で撮像された被写体像の静止画および動画のデータを記録媒体に記録再生する記録再生部などが収容されている。
ケース１２の後面１２Ｂ上部には前記撮像素子によって撮像された被写体像を視認するための電子式ファインダー１８が設けられている。
ケース１２の右側面１２Ｆには前記撮像素子によって撮像された被写体像などを表示するためのディスプレイ２０が設けられている。
詳しく説明すると、ディスプレイ２０は、ヒンジ２１を介して右側面１２Ｆの前部に連結されており、ヒンジ２１により、上下方向に延在する第１の軸線Ｘ回りに揺動可能に、かつ、第１の軸線Ｘと直交する第２の軸線Ｙ回りに揺動可能に設けられている。
また、ケース１２の後面１２Ｂ、上面１２Ｃ、左側面１２Ｅには、撮影スタートストップスイッチなどの操作スイッチ２２や種々の設定を行うための設定スイッチ２４などが設けられている。
ケース１２の下面１２Ｄは平面を呈しており、下面１２Ｄの中央には三脚に取り付けるための三脚取り付け用ねじ孔（不図示）が設けられている。
【０００７】
次に撮像装置用防水ケース３０について説明する。
図３は撮像装置用防水ケース３０を前方から見た斜視図、図４は撮像装置用防水ケース３０を後方から見た斜視図、図５は撮像装置１０を撮像装置用防水ケース３０に収容する際の説明図である。
図６は撮像装置１０が撮像装置用防水ケース３０に収容された状態を示す側面図、図７は図６のＡＡ線断面図である。
撮像装置用防水ケース３０は、撮像装置１０が収容される収容空間３２を有するケース本体３４を備えている。
ケース本体３４は、撮像装置１０の後部を除く大半の部分を収容する第１ケース分割体３４Ａと、第１ケース分割体３４Ａに揺動可能に結合され撮像装置１０の後部を収容する第２ケース分割体３４Ｂとで構成されている。
本実施の形態では、第１ケース分割体３４Ａ、第２ケース分割体３４Ｂは透明な合成樹脂で形成されている。
【０００８】
図３乃至図５に示すように、第１ケース分割体３４Ａは、収容空間３２の底部を仕切る底壁３４０２と、底壁３４０２の前端から起立する前壁３４０４と、底壁３４０２の左右から起立する左右の側壁３４０６と、それら前壁３４０４と左右の側壁３４０６を接続する上壁３４０８とを有している。
図６に示すように、ケース本体３４に撮像装置１０が収容された状態で対物レンズ１４０２に臨む前壁３４０４箇所には、前壁３４０４を貫通する開口３６０２が設けられ、この開口３６０２を液密に閉塞するように均一厚さの透明なガラス板３６が設けられている。
また、図３に示すように、右側の側壁３４０６には、ミラー３８が左右側方に揺動可能に設けられている。撮像装置１０は、ディスプレイ２０の表示面２００２を外側方に向けて収容空間３２に収容され、ミラー３８は、この撮像装置１０のディスプレイ２０の表示面２００２に表示された画像を反射させて使用者に視認させるためのものである。
上壁３４０８には、複数の操作スイッチ３５が設けられている。
これら操作スイッチ３５は、撮像装置１０を撮像装置用防水ケース３０に収容する際に、接続ケーブル３５０２を介して撮像装置１０のコネクタに電気的に接続され、操作スイッチ３５の操作により操作スイッチ２２や設定スイッチ２４を操作するのと同様の操作を撮像装置１０に対して行うことができるように構成されている。
【０００９】
図６、図７に示すように、撮像装置１０は、その下面１２Ｄにガイド板４０が取り付けられた状態でケース本体３４に収容される。本実施の形態では、ガイド板４０に形成されたねじ挿通孔（不図示）を挿通したねじ４１が前記三脚取り付け用ねじ孔に螺合されることでガイド板４０が撮像装置１０に取着される。
ガイド板４０は前後に延在して設けられ、その左右両側に係止板４００２が突出形成され、また、図４に示すように、ガイド板４０の後端で左右両側の一方に係止爪４００４が弾性変形可能に設けられている。
図７に示すように、底壁３４０２には、ガイド板４０の底面が載置されスライドされる２つのガイド壁３４１０が左右に間隔をおいて前後に延在形成され、また、各ガイド壁３４１０の外側に係止板４００２の上面に係合可能な係止壁３４１２が前後にそれぞれ延在形成されている。
図４に示すように、第１ケース分割体３４Ａの後端は底壁３４０２、左右の側壁３４０６、上壁３４０８の後端により矩形枠状の合わせ部４４Ａとして形成されている。
図７に示すように、撮像装置１０は、ガイド板４０の底面がガイド壁３４１０上に載置され、係止板４００２が係止壁３４１２に係合された状態で合わせ部４４Ａから第１ケース分割体３４Ａの内側に挿入され、係止爪４００４が係止壁３４１２の係合溝３４１４に係合することで前後方向および左右方向ならびに上下方向に移動不能に第１ケース分割体３４Ａの内側に収容保持される。したがって、左右のガイド壁３４１０と左右の係止壁３４１２は、撮像装置１０を底壁３４０２上に取り付けるための撮像装置取り付け用壁部を構成している。
【００１０】
図４に示すように、第２ケース分割体３４Ｂは、収容空間３２の底部を仕切る底壁３４２０と、底壁３４２０の左右両側から起立する左右の側壁３４２２と、底壁３４２０の後端から起立する後壁３４２４と、それら左右の側壁３４２２、後壁３４２４を接続する上壁３４２６とで構成されている。
第２ケース分割体３４Ｂの前端は、底壁３４２０、左右の側壁３４２４、上壁３４２６の前端により矩形枠状の合わせ部４４Ｂとして構成され、合わせ部４４Ｂにはその全周にわたってＯリング４６が嵌着され、第１ケース分割体３４Ａの合わせ部４４Ａと係脱可能に液密に結合できるように構成されている。
第２ケース分割体３４Ｂは、第１ケース分割体３４Ａにヒンジ部３４４０（図５参照）を介して揺動可能に結合され、合わせ部４４Ａ、４４Ｂが液密に合わせられた状態は、第１ケース分割体３４の左側壁３４０６の後部に揺動可能に設けられたバックル４２により保持されるように形成されている。
【００１１】
そして、図６、図７に示すように、ケース本体３４の箇所に、ガラス板３６よりも熱伝導率が大きい金属材料からなる金属板５０が設けられ、金属板５０の一方の面５０Ａは収容空間３２に臨み、金属板５０の他方の面５０Ｂはケース本体３４の外部に臨んでいる。
金属板５０を形成する金属としては、例えば、ステンレス、アルミニウム、メッキ鋼板、真鍮などを採用することができる。
図８はケース本体３４の底壁３４０２部分の分解斜視図、図９は底壁３４０２部分の断面図である。
本実施の形態では、図８、図９に示すように、第１ケース分割体３４Ａの底壁３４０２に、底壁３４０２を貫通する前後に縦長の矩形状の開口５２が設けられ、金属板５０は、第１ケース分割体３４Ａの外面（言い換えると下面）に、開口５２を液密に閉塞するようにＯリング５４、ねじ５６を介して設けられている。
また、本実施の形態では、金属板５０で閉塞される開口５２の面積は、ガラス板３６で閉塞される開口３６０２の面積と同等な値か、あるいは、開口３６０２の面積よりも大きい値となるように設けられている。
【００１２】
次に、作用効果について説明する。
撮像装置用防水ケース３０の収容空間３２に撮像装置１０を収容した状態で、例えば、水中に入れると、水温は一般に大気の温度よりも低く、また、金属板５０の熱伝導率は合成樹脂およびガラス板３６よりも大きいため、金属板５０自体が合成樹脂の部分およびガラス板３６よりも水により効果的に冷却される。
そのため、金属板５０が収容空間３２に臨む面５０Ａは、収容空間３２内の空気よりも低温で合成樹脂の部分の内面およびガラス板３６の内面に比べて最も低温な箇所となる。
その結果、収容空間３２内の空気に含まれていた水分の大半が金属板５０の面５０Ａに水滴として結露し、合成樹脂の部分の内面やガラス板３６の内面に結露することが抑制される。
無論、暖かい室内で撮像装置を撮像装置用防水ケースに収容した後、寒いスキー場に持ち出した場合なども上述と同様な効果が奏される。
したがって、ガラス板３６よりも熱伝導率が大きい金属材料からなる金属板５０を設けるといった簡単な構成により、従来のガラス板に生じる曇りを防止でき、水中やスキー場などでの撮影を円滑に行なう上で有利となり、構成の簡素化、低コスト化を図りつつ使い勝手を高める上で有利となる。
【００１３】
また、金属板５０の比重は合成樹脂よりも大きく、金属板５０は収容空間３２の底部を仕切る底壁３４０２に設けられているので、撮像装置１０が収容された撮像装置用防水ケース３０を水中に入れた際に、金属板５０は撮像装置用防水ケース３０の錘として作用する。そのため、金属板５０が水中において底壁３４０２が最も低い箇所に位置するように撮像装置用防水ケース３０を付勢し、これにより水中において撮像装置用防水ケース３０の姿勢を安定させることができ、水中での撮像装置用防水ケース３０の取り扱いが簡単になされ、水中撮影する上で極めて有利となる。
また、金属板５０を底壁３４０２に設けたので、例えば、水中やスキー場で低い位置にある被写体を撮影する場合などにおいて、撮像装置用防水ケース３０を、その前部を後部よりも低くなるように傾けたとしても、金属板５０の面５０Ａに結露した水滴がガラス板３６方向に流れ水滴のガラス板３６への付着を防止する上で有利となる。
特に、本実施の形態では、金属板５０が開口５２の最も低い箇所に位置するので、金属板５０の面５０Ａと開口５２の壁面とで上方に開放状の凹部５０Ｃ（図９参照）が形成されることになり、凹部５０Ｃで水滴を貯めることができるので、撮像装置用防水ケース３０を、その前部を後部よりも低くなるように傾けた場合に、水滴が流れてガラス板３６へ付着することを防止する上で有利となる。
また、本実施の形態では、前記左右の撮像装置取り付け用壁部の間の底壁３４０２の箇所に金属板５０が設けられているので、金属板５０の面５０Ａに結露した水滴の移動を左右の撮像装置取り付け用壁部で防止でき、水滴が流れてガラス板３６へ付着することを防止する上でより有利となる。
【００１４】
次に、第２の実施の形態について説明する。
図１０（Ａ）は第２の実施の形態の撮像装置用防水ケース３０の底壁３４０２部分の断面図、（Ｂ）は底壁３４０２部分の斜視図である。
なお、以下の実施の形態において、第１の実施の形態と同一の箇所、部材に同一の符号を付して説明する。
第２の実施の形態では、開口５２を形成する壁面で金属板５０寄りの箇所に、開口５２の断面積を広げる凹部６０を形成したものであり、本実施の形態では、凹部６０は、開口５２の全周にわたって設けられ、凹部６０の底部は、金属板５０の面５０Ａにより仕切られている。
このような第２の実施の形態によれば、例えば、水中やスキー場で低い位置にある被写体を撮影する場合などに、撮像装置用防水ケース３０を、その前部を後部よりも低くなるように傾けたとしても、金属板５０の面５０Ａに結露した水滴Ｗは、まず、凹部６０に貯められるので、水滴が流れてガラス板３６へ付着することを防止する上でより一層有利となる。
【００１５】
次に、第３の実施の形態について説明する。
図１１は第３の実施の形態の撮像装置用防水ケース３０の底壁３４０２部分の断面図である。
第３の実施の形態では、開口５２内に、水の吸収を可能とした水吸収部材６２が配設され、水吸収部材６２としては、例えば、スポンジなどが使用可能である。
より詳細に説明すると、水吸収部材６２は、開口５２の全周にわたって設けられた凹部６０に収容されて配設されている。
このような第３の実施の形態によれば、水吸収部材６２により水滴を保持できるので、撮像装置用防水ケース３０を、例えば、水中やスキー場で低い位置にある被写体を撮影する場合などに、その前部を後部よりも低くなるように傾けたとしても、水滴が流れてガラス板３６へ付着することを防止する上でより一層有利となる。
【００１６】
次に、第４の実施の形態について説明する。
図１２は第４の実施の形態の撮像装置用防水ケース３０の底壁３４０２部分の断面図、（Ｂ）は底壁３４０２部分の斜視図である。
第４の実施の形態では、開口５２を構成する壁面に、水滴が侵入した際に水の表面張力により水滴を保持する微細な溝６４を多数形成したものであり、言い換えると、開口５２を構成する壁面に多数の溝６４が櫛歯状に形成されている。
このような第４の実施の形態によれば、溝６４により水滴を保持できるので、第３の実施の形態と同様に、例えば、水中やスキー場で低い位置にある被写体を撮影する場合などにおいて、撮像装置用防水ケース３０を、その前部を後部よりも低くなるように傾けた場合に、水滴が流れてガラス板３６へ付着することを防止する上でより一層有利となる。
なお、金属板５０の面５０Ａに結露した水滴がガラス板３６方向に流れて水滴がガラス板３６へ付着することを防止するには、水吸収部材６２または溝６４などの水滴保持構造は、少なくとも開口５２内でガラス板３６方向の箇所（ガラス板３６寄りの箇所）に設けることが効果的である。
【００１７】
なお、金属板５０を、左右の側壁３４０６、３４２２や、前壁３４０４、後壁３４２４、上壁３４０８、３４２６に設けるようにしてもよいが、撮像装置用防水ケース３０を、その前部を後部よりも低くなるように傾けた場合に、水滴のガラス板３６への付着を防止する観点からすると、底壁３４０２に金属板５０を設けた場合がより有利となる。
また、実施の形態では、水中やスキー場で撮影する場合を例にとって説明したが、本発明は、塵埃の多い競技場などで用いられる防塵用ケースや防滴用ケースなどにも適用されるものであり、したがって、本発明の撮像装置用防水ケースは、それら防塵用ケースや防滴用ケースなどを広く含むものである。
【図面の簡単な説明】
【００１８】
【図１】撮像装置１０を前方から見た斜視図である。
【図２】撮像装置１０を後方から見た斜視図である。
【図３】撮像装置用防水ケース３０を前方から見た斜視図である。
【図４】撮像装置用防水ケース３０を後方から見た斜視図である。
【図５】撮像装置１０を撮像装置用防水ケース３０に収容する際の説明図である。
【図６】撮像装置１０が撮像装置用防水ケース３０に収容された状態を示す側面図である。
【図７】図６のＡＡ線断面図である。
【図８】ケース本体３４の底壁３４０２部分の分解斜視図である。
【図９】底壁３４０２部分の断面図である。
【図１０】（Ａ）は第２の実施の形態の撮像装置用防水ケース３０の底壁３４０２部分の断面図、（Ｂ）は底壁３４０２部分の斜視図である。
【図１１】第３の実施の形態の撮像装置用防水ケース３０の底壁３４０２部分の断面図である。
【図１２】第４の実施の形態の撮像装置用防水ケース３０の底壁３４０２部分の断面図、（Ｂ）は底壁３４０２部分の斜視図である。
【符号の説明】
【００１９】
１０……撮像装置、１４……撮影光学系、３０……撮像装置用防水ケース、３２……収容空間、３４……ケース本体、３６……ガラス板、５０……金属板、５０Ａ……一方の面、５０Ｂ……他方の面。
【図１】
2007101850.tif 000003
【図２】
2007101850.tif 000004
【図３】
2007101850.tif 000005
【図４】
2007101850.tif 000006
【図５】
2007101850.tif 000007
【図６】
2007101850.tif 000008
【図７】
2007101850.tif 000009
【図８】
2007101850.tif 000010
【図９】
2007101850.tif 000011
【図１０】
2007101850.tif 000012
【図１１】
2007101850.tif 000013
【図１２】
2007101850.tif 000014